(57)【要約】【課題】形状の異なる複数のセグメントが敷き詰められた表示領域に所定の文字を差別化して表示させる表示装置を提供すること。【解決手段】表示装置１００は、形状の異なる複数のセグメントが敷き詰められた表示領域３０を有する表示部３と、複数のセグメントのうち文字等を構成するセグメント群の表示状態を制御する文字部セグメント制御手段１０と、複数のセグメントのうち文字等を構成するセグメント群以外のセグメント群の表示状態を制御する背景部セグメント制御手段１１と、文字部セグメント制御手段１０により制御されるセグメント群と背景部セグメント制御手段１１により制御されるセグメント群との間のコントラストを制御するコントラスト制御手段１２とを備える。【選択図】図１
2007322514.tif 000002
【特許請求の範囲】
【請求項１】
形状の異なる複数のセグメントが敷き詰められた表示領域を有する表示部と、
前記複数のセグメントのうち文字等を構成するセグメント群の表示状態を制御する文字部セグメント制御手段と、
前記複数のセグメントのうち前記文字等を構成するセグメント群以外のセグメント群の表示状態を制御する背景部セグメント制御手段と、
前記文字部セグメント制御手段により制御されるセグメント群と前記背景部セグメント制御手段により制御されるセグメント群との間のコントラストを制御するコントラスト制御手段と、
を備えることを特徴とする表示装置。
【請求項２】
前記コントラスト制御手段は、前記文字部セグメント制御手段により制御されるセグメント群と前記背景部セグメント制御手段により制御されるセグメント群との間の輝度差、色相差または明度差を制御する、
ことを特徴とする請求項１に記載の表示装置。
【請求項３】
前記コントラスト制御手段は、前記文字部セグメント制御手段により制御されるセグメント群および前記背景部セグメント手段により制御されるセグメント群の何れか一方のセグメント群の作動を禁止する、
ことを特徴とする請求項１または２に記載の表示装置。
【請求項４】
前記文字部セグメント制御手段により制御されるセグメント群の色は、前記背景部セグメント制御手段により制御されるセグメント群の色と等しい、
ことを特徴とする請求項１乃至３の何れか一項に記載の表示装置。
【請求項５】
所定の文字等を反転表示させる反転表示制御手段を備える、
ことを特徴とする請求項１乃至４の何れか一項に記載の表示装置。
【請求項６】
前記反転表示制御手段は、前記文字部セグメント制御手段により制御されるセグメント群の輝度、色相または明度と前記背景部セグメント制御手段により制御されるセグメント群の輝度、色相または明度とを置換して前記所定の文字等を反転表示させる、
ことを特徴とする請求項５に記載の表示装置。
【発明の詳細な説明】
【技術分野】
【０００１】
本発明は、形状の異なる複数のセグメントで構成される表示領域に所定の文字を表示させる表示装置に関する。
【背景技術】
【０００２】
従来、車両のトランスミッションのうち、選択されていないシフトポジションよりも、選択されているシフトポジションを大きく表示させる車両用シフトポジション表示器が知られている（例えば、特許文献１参照。）。
【０００３】
この車両用シフトポジション表示器は、読みやすい文字を表示させるために一定の解像度（画素数）を必要とするドットマトリクス式ディスプレイではなく、セグメント数（画素数）を抑えながらも読みやすい文字を表示させることができる液晶表示素子を利用して、選択されているシフトポジションと選択されていないシフトポジションとを異なる領域に同時に表示しながら、選択されているシフトポジションを選択されていないシフトポジションより大きく表示させることで現在のシフトポジションを運転者に視認させ易くする。
【特許文献１】特開２００１−３２２４４４号公報
【発明の開示】
【発明が解決しようとする課題】
【０００４】
しかしながら、特許文献１に記載の車両用シフトポジション表示器は、選択されているシフトポジションを一様に大きく表示させるだけで、特定のシフトポジションが選択されていることを他のシフトポジションと差別化して表示させることができない。
【０００５】
かかる問題に鑑み、本発明は、形状の異なる複数のセグメントが敷き詰められた表示領域に所定の文字を差別化して表示させる表示装置を提供することを目的とする。
【課題を解決するための手段】
【０００６】
上述の目的を達成するために、第１の発明に係る表示装置は、形状の異なる複数のセグメントが敷き詰められた表示領域を有する表示部と、前記複数のセグメントのうち文字等を構成するセグメント群の表示状態を制御する文字部セグメント制御手段と、前記複数のセグメントのうち前記文字等を構成するセグメント群以外のセグメント群の表示状態を制御する背景部セグメント制御手段と、前記文字部セグメント制御手段により制御されるセグメント群と前記背景部セグメント制御手段により制御されるセグメント群との間のコントラストを制御するコントラスト制御手段とを備えることを特徴とする。
【０００７】
また、第２の発明は、第１の発明に係る表示装置において、前記コントラスト制御手段が、前記文字部セグメント制御手段により制御されるセグメント群と前記背景部セグメント制御手段により制御されるセグメント群との間の輝度差、色相差または明度差を制御することを特徴とする。
【０００８】
また、第３の発明は、第１または第２の発明に係る表示装置において、前記コントラスト制御手段が、前記文字部セグメント制御手段により制御されるセグメント群および前記背景部セグメント手段により制御されるセグメント群の何れか一方のセグメント群の作動を禁止することを特徴とする。
【０００９】
また、第４の発明は、第１乃至第３の発明に係る表示装置において、前記文字部セグメント制御手段により制御されるセグメント群の色が、前記背景部セグメント制御手段により制御されるセグメント群の色と等しいことを特徴とする。
【００１０】
また、第５の発明は、第１乃至第４の発明に係る表示装置において、所定の文字等を反転表示させる反転表示制御手段を備えることを特徴とする。
【００１１】
また、第６の発明は、第５の発明に係る表示装置において、前記反転表示制御手段が、前記文字部セグメント制御手段により制御されるセグメント群の輝度、色相または明度と前記背景部セグメント制御手段により制御されるセグメント群の輝度、色相または明度とを置換して前記所定の文字等を反転表示させることを特徴とする。
【発明の効果】
【００１２】
上述の手段により、本発明は、形状の異なる複数のセグメントが敷き詰められた表示領域に所定の文字を差別化して表示させる表示装置を提供することができる。
【発明を実施するための最良の形態】
【００１３】
以下、図面を参照しつつ、本発明を実施するための最良の形態の説明を行う。
【実施例】
【００１４】
図１は、本発明に係るシフトポジション表示装置１００の構成例を示す図である。
【００１５】
シフトポジション表示装置１００は、制御部１、シフトポジションセンサ２および表示部３から構成される。
【００１６】
制御部１は、ＣＰＵ（Central Processing Unit）、ＲＡＭ（Random Access Memory）、ＲＯＭ（Read Only Memory）、ＮＶＲＡＭ（Non-Volatile Random Access Memory）等を備えたコンピュータであり、文字部セグメント制御手段１０、背景部セグメント制御手段１１、コントラスト制御手段１２および反転表示制御手段１３に対応するプログラムをＮＶＲＡＭに記憶し、それらプログラムをＲＡＭ上に展開して対応する処理をＣＰＵに実行させる。
【００１７】
シフトポジションセンサ２は、シフトポジションを検出するためのセンサであり、例えば、ＡＴ（Automatic Transmission）車のセレクトレバーまたはＭＴ(Manual Transmission)車のシフトレバーを操作することにより選択されたシフトポジションをセレクトレバーまたはシフトレバーからの電気信号に基づいて検出する。
【００１８】
或いは、シフトポジションセンサ２は、ＡＴ車のセレクトレバーがドライブレンジ（自動変速を行う状態）に設定された場合に、車速センサからの車速信号およびエンジンＥＣＵ（Electronic Control Unit）からのエンジン回転数信号に基づいて現在のシフトポジションを検出する。この場合、シフトポジションセンサ２は、実際のシフトポジション（例えば、１速、２速、３速等）を検出する。
【００１９】
表示部３は、インストルメントパネル等に配置され、形状の異なる複数のセグメントで構成される表示領域を有する表示装置であり、各セグメントは、ＬＥＤ(Light Emitting Diode)、冷陰極放電灯、蛍光表示管、白熱フィラメントまたは液晶セルで構成される。
【００２０】
表示領域は、矩形、円形、楕円形を含む如何なる形状であってもよいが、表示領域全体にセグメントが敷き詰められる。また、表示領域は、複数の文字等を構成するために選択的に使用されるセグメント群と文字等の構成に全く使用されないセグメント群との２種類のセグメント群で構成され、文字等の構成に全く使用されないセグメント群の一部は、複数の文字等を構成するために選択的に使用されるセグメント群を取り囲むように配置される。
【００２１】
セグメントは、例えば、一部をＬＥＤ、他の一部を白熱フィラメントで構成するようなことはせず、表示領域を構成する全てのセグメントを同じ性質（色、輝度等）を有するＬＥＤで構成する。構造を単純化して製造コストを抑制するためである。
【００２２】
また、各セグメントは、単一色の光源または白黒の液晶セルで構成されてもよく、複数色の発光ができる複数の光源またはカラー液晶で構成されてもよい。単一色の光源または白黒の液晶セルの場合、製造コストを下げ構造を単純化できるという効果があり、複数の光源またはカラー液晶セルの場合、色相差や明度差等を利用した表現が可能になるという効果がある。
【００２３】
次に、制御部１が有する各種手段について説明する。
【００２４】
文字部セグメント制御手段１０は、文字、図形、記号（以下、「文字等」という。）を構成するセグメント群の表示状態を制御する手段であり、例えば、シフトポジションセンサ２により検出されたシフトポジションである、パーキングレンジを示す「Ｐ」、ニュートラルレンジを示す「Ｎ」、ドライブレンジを示す「Ｄ」、４速を示す「４」、３速レンジを示す「３」、２速レンジを示す「２」、および、ローレンジを示す「Ｌ」等の文字を構成するセグメント群の発光状態を制御する。
【００２５】
すなわち、文字部セグメント制御手段１０は、シフトポジションセンサ２により検出されたシフトポジションを示す文字を構成するセグメント群を発光させるか否か、或いは、その文字を構成するセグメント群を発光させた場合におけるセグメント群の輝度、色相、明度等を制御し、表示させる文字に応じて制御対象のセグメント群を変化させる。
【００２６】
背景部セグメント制御手段１１は、背景を構成するセグメント群の表示状態を制御する手段であり、例えば、シフトポジションセンサ２により検出されたシフトポジションを示す「Ｐ」、「Ｎ」、「Ｄ」、「４」、「３」、「２」、「Ｌ」等の文字を構成するセグメント群以外のセグメント群の発光状態を制御する。
【００２７】
すなわち、背景部セグメント制御手段１１は、文字部セグメント制御手段１０と同様に、背景を構成するセグメント群を発光させるか否か、或いは、背景を構成する各セグメント群を発光させた場合におけるセグメント群の輝度、色相、明度等を制御し、表示させる文字に応じて制御対象のセグメント群を変化させる。
【００２８】
コントラスト制御手段１２は、文字を構成するセグメント群と背景を構成するセグメント群との間に生成されるコントラストを制御するための手段であり、「コントラスト」とは、二者間の明暗の差をいい、輝度差、色相差、明度差等により表現される。
【００２９】
コントラスト制御手段１２は、例えば、文字を構成するセグメント群の輝度が背景を構成するセグメント群の輝度より所定の値だけ高くなるように文字部セグメント制御手段１０または背景部セグメント制御手段１１をしてセグメント群の輝度を変化させ両者の間のコントラストを制御する。
【００３０】
また、コントラスト制御手段１２は、文字部セグメント制御手段１０または背景部セグメント制御手段１１をして、文字を構成するセグメント群または背景を構成するセグメント群の一方を発光させないようにし、両者の間のコントラストを制御するようにしてもよい。
【００３１】
また、コントラスト制御手段１２は、文字を構成するセグメント群と背景を構成するセグメント群との間の色相差または明度差が所定値以上となるように、文字を構成するセグメント群および背景を構成するセグメント群の少なくとも一方の色相または明度を変化させて両者の間のコントラストを制御するようにしてもよい。
【００３２】
これにより、コントラスト制御手段１２は、表示部３の表示領域に表示される文字の可読性を制御し、特定の文字を差別化して表示させることができる。
【００３３】
反転表示制御手段１３は、コントラスト制御手段１２により制御される、文字を構成するセグメント群の発光状態と背景を構成するセグメント群の発光状態とを置き換える手段であり、例えば、文字を構成するセグメント群の輝度が背景を構成するセグメント群の輝度より所定の値だけ高くなるように制御されていた場合に、背景を構成するセグメント群の輝度が文字を構成するセグメント群の輝度より所定の値だけ高くなるようにする。なお、置き換えられる発光状態（輝度、色相、明度等）は、一方のセグメント群の元の発光状態を他方のセグメント群において忠実に再現するものであってもよく、輝度の高低関係を逆にしただけのものであってもよい。
【００３４】
これにより、反転表示制御手段１３は、特定の文字を差別化して表示部３の表示領域に表示させることができる。
【００３５】
図２は、表示部３における表示領域３０の構成例を示す図であり、表示領域３０は、形状および大きさの異なる３３個のセグメントを略矩形の領域全体に敷き詰めた状態で構成される。
【００３６】
また、表示領域３０は、文字を構成するために選択的に使用される２７個のセグメントと文字の構成に全く使用されない６個のセグメントａ〜ｆとから構成される。
【００３７】
また、各セグメントは、液晶セルで構成され、各セグメントを隔てる溝部３１には、各液晶セルに電力を供給するための導線が配される。
【００３８】
このように、表示部３は、文字を構成するために選択的に使用される２７個のセグメントに、文字の構成に全く使用されない６個のセグメントａ〜ｆを追加することで、文字を反転表示させることが可能となる。
【００３９】
なお、各セグメントの形状および大きさは、表示させる文字のデザインに基づいて決定され、セグメントの数もデザインに応じて変化する。従って、セグメント数をより少なくすることも可能である。
【００４０】
図３は、シフトポジションを示す文字を表示部３の表示領域３０に表示させた状態を示す図であり、図３（Ａ）がパーキングレンジを示す「Ｐ」の文字、図３（Ｂ）がニュートラルレンジを示す「Ｎ」の文字、図３（Ｃ）がドライブレンジを示す「Ｄ」の文字、図３（Ｄ）が４速レンジを示す「４」の文字、図３（Ｅ）が３速レンジを示す「３」の文字、図３（Ｆ）が２速を示す「２」の文字、および、図３（Ｇ）がローレンジを示す「Ｌ」の文字をそれぞれ表示させた状態である。
【００４１】
図３（Ａ）において、シフトポジション表示装置１００は、コントラスト制御手段１２をして、文字部セグメント制御手段１０により文字「Ｐ」を構成するセグメント群を発光させ、背景部セグメント制御手段１１により文字「Ｐ」を構成するセグメント群以外のセグメント群を発光させないようにする。
【００４２】
これにより、シフトポジション表示装置１００は、発光させた文字部セグメント群と発光させなかった背景部セグメント群との間の輝度差を大きくして文字部セグメント群を際立たせ、表示領域３０の文字「Ｐ」を視認させやすくする。「Ｎ」、「Ｄ」、「４」、「３」、「２」、「Ｌ」の文字を表示させる場合も同様である。
【００４３】
図４は、シフトポジションセンサ２によりリバースレンジが検出された場合に、文字「Ｒ」を表示部３の表示領域に表示させた状態を示す図である。
【００４４】
図４において、シフトポジション表示装置１００は、反転表示制御手段１３をしてコントラスト制御手段１２による制御を反転させ、文字部セグメント制御手段１０により「Ｒ」を構成するセグメント群を発光させることなく、背景部セグメント制御手段１１により「Ｒ」を構成するセグメント群以外のセグメント群ａ〜ｋを発光させるようにする。
【００４５】
以上の構成により、シフトポジション表示装置１００は、発光させた背景部セグメント群ａ〜ｋと発光させなかった文字部セグメント群との間の輝度差を大きくして背景部セグメント群を際立たせ、表示領域３０の文字「Ｒ」を視認させやすくする。
【００４６】
さらに、シフトポジション表示装置１００は、表示領域３０に「Ｒ」を表示させる場合に限り文字部セグメント群と背景部セグメント群とを反転表示させることで「Ｐ」、「Ｎ」、「Ｄ」、「Ｌ」、「２」、「３」および「４」から「Ｒ」を差別化し、選択されたシフトポジションが「Ｐ」、「Ｎ」、「Ｄ」、「Ｌ」、「２」、「３」および「４」の場合と車両の移動方向において異なるリバースレンジを示す文字「Ｒ」であることを、迅速かつ確実に運転者に伝えることができる。
【００４７】
また、シフトポジション表示装置１００は、各セグメントを隔てる溝部３１が発光しないことから、「Ｒ」を反転表示させた場合、溝部３１の幅の分だけ「Ｒ」の文字を大きく表示させることができ、「Ｒ」の文字を強調させることができる。
【００４８】
以上、本発明の好ましい実施例について詳説したが、本発明は、上述した実施例に制限されることはなく、本発明の範囲を逸脱することなく、上述した実施例に種々の変形及び置換を加えることができる。
【００４９】
例えば、上述の実施例では、文字部セグメント群または背景部セグメント群の何れか一方を発光させ他方を発光させないようにし、発光させるセグメント群と発光させないセグメント群とを切り替えることで所定の文字を差別化して表示させるが、文字部セグメント群または背景部セグメント群の何れか一方を所定の色で発光させ他方を別の所定の色で発光させるようにしてもよい。
【００５０】
また、シフトポジション表示装置１００は、背景部セグメント群を発光させず文字部セグメント群のみを発光させる場合の発光色と、文字部セグメント群を発光させず背景部セグメント群のみを発光させる場合の発光色とを異なるようにしてもよく、文字部セグメント群を発光させず背景部セグメント群のみを発光させる場合に背景部セグメント群を点滅させるようにしてもよい。所定の文字を差別化して表示させることができる点において共通するからである。
【００５１】
また、上述の実施例では、リバースレンジを示す文字「Ｒ」を他の文字と差別化して表示させるが、パーキングレンジを示す文字「Ｐ」を差別化して表示させ、他のシフトポジションとは性質の異なるシフトポジションであることを迅速かつ確実に運転者に伝えるようにしてもよい。この場合、文字「Ｐ」、文字「Ｒ」およびその他の文字の３種類の表示状態を用意し、それぞれを差別化して表示させるようにしてもよい。
【００５２】
また、上述の実施例は、シフトポジションを示す文字を表示させる場合について説明するが、ラジオのチャンネル、ワイパーの速度レベル等、シフトポジション以外の内容を示す文字等を表示させるものであってもよい。
【図面の簡単な説明】
【００５３】
【図１】本発明に係るシフトポジション表示装置の構成例を示す図である。
【図２】表示部における表示領域の構成例を示す図である。
【図３】シフトポジションを示す文字を表示部の表示領域に表示させた状態を示す図である。
【図４】リバースレンジを示す文字「Ｒ」を表示部の表示領域に反転表示させた状態を示す図である。
【符号の説明】
【００５４】
１      制御部
２      シフトポジションセンサ
３      表示部
１０    文字部セグメント制御手段
１１    背景部セグメント制御手段
１２    コントラスト制御手段
１３    反転表示制御手段
３０    表示領域
ａ〜ｋ  セグメント
１００  シフトポジション表示装置
【図１】
2007322514.tif 000003
【図２】
2007322514.tif 000004
【図３】
2007322514.tif 000005
【図４】
2007322514.tif 000006